(57)【特許請求の範囲】
【請求項１】
表面側ラベルと裏面側ラベルとを有し、二つ折りで使用される両面印字用ラベルであって、
前記表面側ラベルは、
折り目を挟んだ一方側に、周回状の一方側表面切り取り線で区画された表面内側部及び表面外縁部と、
前記折り目を挟んだ他方側に、少なくとも一部が前記折り目と直交する方向に沿って延びる２本の他方側表面切り取り線で区画された表面中央部及び表面両端部と、
前記表面外縁部における開放端側部及び両側部と、前記表面両端部とに設けられた粘着部と、
を有し、
前記裏面側ラベルは、
前記折り目を挟んだ一方側に、開放端側辺及び両側辺に沿う一方側裏面切り取り線で区画された裏面内側部及び裏面外縁部と、
前記折り目を挟んだ他方側に、前記一方側裏面切り取り線と繋がるとともに少なくとも一部が前記折り目と直交する方向に沿って延びる２本の他方側裏面切り取り線で区画された裏面中央部及び裏面両端部と、
前記裏面外縁部に設けられた剥離部と、
を有し、
前記裏面内側部は、２本の裏面内側切り取り線によって２つの内側端部と内側中央部とに区画されており、
前記表面側ラベルは、前記粘着部によって一方の前記内側端部及び前記裏面両端部に直接貼付されるとともに前記裏面外縁部に前記剥離部を介して貼付されている、
ことを特徴とする両面印字用ラベル。
【請求項２】
請求項１に記載の両面印字用ラベルであって、
前記表面中央部は、
前記他方側表面切り取り線と直交する方向に沿って延びる２本の表面中央部切り取り線で区画された第１表面中央部、第２表面中央部及び第３表面中央部を有し、
前記第１表面中央部には、粘着部が設けられ、
前記裏面中央部は、
前記他方側裏面切り取り線と直交する方向に沿って延びる裏面中央部切り取り線で区画された第１裏面中央部及び第２裏面中央部を有し、
前記第１裏面中央部には、剥離部が設けられ、
前記表面側ラベルは、前記第１表面中央部に設けられた前記粘着部によって前記第１裏面中央部に前記剥離部を介して貼付されている、
ことを特徴とする両面印字用ラベル。
【請求項３】
請求項２に記載の両面印字用ラベルであって、
前記第２表面中央部には、粘着部が設けられ、
前記表面側ラベルは、前記第２表面中央部に設けられた前記粘着部によって前記第１裏面中央部に直接貼付されている、
ことを特徴とする両面印字用ラベル。
【請求項４】
請求項１〜３のいずれかに記載の両面印字用ラベルであって、
前記折り目から前記他方側の開放端までの長さは、前記折り目から前記表面側ラベルにおける前記開放端側部に設けられた粘着部までの長さよりも短い、
ことを特徴とする両面印字用ラベル。
【請求項５】
表面側ラベルと裏面側ラベルとを有し、
前記表面側ラベルは、
折り目を挟んだ一方側に、周回状の一方側表面切り取り線で区画された表面内側部及び表面外縁部と、
前記折り目を挟んだ他方側に、少なくとも一部が前記折り目と直交する方向に沿って延びる２本の他方側表面切り取り線で区画された表面中央部及び表面両端部と、
前記表面外縁部における開放端側部及び両側部と、前記表面両端部とに設けられた粘着部と、
を有し、
前記裏面側ラベルは、
前記折り目を挟んだ一方側に、開放端側辺及び両側辺に沿う一方側裏面切り取り線で区画された裏面内側部及び裏面外縁部と、
前記折り目を挟んだ他方側に、前記一方側裏面切り取り線と繋がるとともに少なくとも一部が前記折り目と直交する方向に沿って延びる２本の他方側裏面切り取り線で区画された裏面中央部及び裏面両端部と、
前記裏面外縁部に設けられた剥離部と、
を有し、
前記裏面内側部は、２本の裏面内側切り取り線によって２つの内側端部と内側中央部とに区画されており、
前記表面側ラベルは、前記粘着部によって一方の前記内側端部及び前記裏面両端部に直接貼付されるとともに前記裏面外縁部に前記剥離部を介して貼付されている両面印字用ラベルの使用方法であって、
前記裏面側ラベルの前記裏面外縁部を前記表面側ラベルから剥離させて前記一方側裏面切り取り線で切り取るとともに前記表面両端部及び前記裏面両端部を前記他方側表面切り取り線及び前記他方側裏面切り取り線で切り取り、
前記折り目で前記裏面側ラベルを内側にして二つ折りにし、
前記表面側ラベルに設けられた前記粘着部により被着体に貼付する、
ことを特徴とする両面印字用ラベルの使用方法。
【発明の詳細な説明】
【技術分野】
【０００１】
本発明は、両面印字用ラベルに関する。
【背景技術】
【０００２】
特許文献１には、ラベルシートの裏面に粘着剤が塗布され、粘着剤面に剥離紙が貼付された配送伝票が開示されている。当該配送伝票には、ラベルシートから剥離した受領票を収納するための収納部が設けられている。
【先行技術文献】
【特許文献】
【０００３】
【特許文献１】特開平１１−０７８２９７号公報
【発明の概要】
【発明が解決しようとする課題】
【０００４】
特許文献１の配送伝票では、出荷商品リスト等の親展扱いとなる書類や広告等を収納部に収納することができる。
【０００５】
しかしながら、特許文献１の配送伝票は、印字面あるいは印刷面が少ないため、情報量が十分でない場合がある。
【０００６】
本発明は、このような技術的課題に鑑みてなされたもので、印字面等を十分に確保することができる両面印字用ラベルを提供することを目的とする。
【課題を解決するための手段】
【０００７】
本発明のある態様によれば、表面側ラベルと裏面側ラベルとを有し、二つ折りで使用される両面印字用ラベルであって、前記表面側ラベルは、折り目を挟んだ一方側に、周回状の一方側表面切り取り線で区画された表面内側部及び表面外縁部と、前記折り目を挟んだ他方側に、少なくとも一部が前記折り目と直交する方向に沿って延びる２本の他方側表面切り取り線で区画された表面中央部及び表面両端部と、前記表面外縁部における開放端側部及び両側部と、前記表面両端部とに設けられた粘着部と、を有し、前記裏面側ラベルは、前記折り目を挟んだ一方側に、開放端側辺及び両側辺に沿う一方側裏面切り取り線で区画された裏面内側部及び裏面外縁部と、前記折り目を挟んだ他方側に、前記一方側裏面切り取り線と繋がるとともに少なくとも一部が前記折り目と直交する方向に沿って延びる２本の他方側裏面切り取り線で区画された裏面中央部及び裏面両端部と、前記裏面外縁部に設けられた剥離部と、を有し、前記裏面内側部は、２本の裏面内側切り取り線によって２つの内側端部と内側中央部とに区画されており、前記表面側ラベルは、前記粘着部によって一方の前記内側端部及び前記裏面両端部に直接貼付されるとともに前記裏面外縁部に前記剥離部を介して貼付されている、両面印字用ラベルが提供される。
【発明の効果】
【０００８】
上記態様によれば、印字面等を十分に確保することができる。
【図面の簡単な説明】
【０００９】
【図１】本発明の実施形態に係る両面印字用ラベルの表面側ラベルを外面側から見た図である。
【図２】表面側ラベルを内面側から見た図である。
【図３】両面印字用ラベルの裏面側ラベルを外面側から見た図である。
【図４】裏面側ラベルを内面側から見た図である。
【図５】図１のＶ−Ｖ断面図である。
【図６】図１のＶＩ−ＶＩ断面図である。
【図７】図１のＶＩＩ−ＶＩＩ断面図である。
【図８】裏面外縁部を表面側ラベルから剥離させ、表面両端部及び裏面両端部を点留めスリットに沿って切り取った状態を示す図である。
【図９】両面印字用ラベルを折り目で折り曲げて荷物に貼り付けた状態を示す図であって、図１のＶＩＩ−ＶＩＩ線に沿う断面である。
【図１０】両面印字用ラベルを折り目で折り曲げて荷物に貼り付けた状態を示す図であって、図１のＶＩ−ＶＩ線に沿う断面である。
【図１１】両面プリンタの概略図である。
【発明を実施するための形態】
【００１０】
以下、添付図面を参照しながら本発明の実施形態に係る両面印字用ラベル３について説明する。
【００１１】
本実施形態の両面印字用ラベル３は、図１〜図７に示すように、表面側ラベル５と裏面側ラベル４とを有し、折り目６で二つ折りにして使用される。なお、具体的な使用態様については後述する。
【００１２】
図１は、本発明の実施形態に係る両面印字用ラベル３の表面側ラベル５を外面側から見た図である。表面側ラベル５は、図１に示すように、折り目６を挟んだ一方側には、一方側表面切り取り線としての周回状のミシン目５ａで区画された表面内側部５ｃ及び表面外縁部５ｂを有する。表面内側部５ｃは、ミシン目５ｄにより複数の領域に区画される。ミシン目５ａ、５ｄは、ジッパーミシン目であることが望ましい。表面内側部５ｃのうち、ミシン目５ｄにより区画された領域５ｆ、５ｇ、５ｈの角には、剥がし目印又は剥がししろを設けてよい。
【００１３】
また、表面側ラベル５は、折り目６を挟んだ他方側には、少なくとも一部が折り目６と直交する方向に沿って延びる２本の他方側表面切り取り線としての点留めスリット５ｊで区画された表面中央部５ｋ及び表面両端部５ｌを有する。
【００１４】
表面中央部５ｋは、点留めスリット５ｊに直交する方向に沿って延びる２本の表面中央部切り取り線としての点留めスリット５ｍ及びミシン目５ｎで区画された第１表面中央部５ｐ、第２表面中央部５ｑ、及び第３表面中央部５ｒを有する。
【００１５】
図２は、表面側ラベル５を内面側から見た図である。表面側ラベル５の内面側には、図２にドットで示すように、表面外縁部５ｂにおける開放端側部５ｓ及び両側部５ｔと、表面両端部５ｌと、第１表面中央部５ｐと、第２表面中央部５ｑとに粘着部としての粘着剤５ｅが設けられる。
【００１６】
折り目６で二つ折りにした場合、表面内側部５ｃ側の長手方向の長さは、表面中央部５ｋ側の長手方向の長さよりも長い。また、折り目６は、二つ折りにした際に、表面中央部５ｋ側の表面側ラベル５が、粘着剤５ｅに達しない程度の位置に設けられる。つまり、表面中央部５ｋ側の折り目６からの長手方向の長さは、折り目６から、開放端側部５ｓに設けられた粘着剤５ｅまでの長さよりも短い。
【００１７】
図３は、両面印字用ラベル３の裏面側ラベル４を外面側から見た図である。裏面側ラベル４は、図３に示すように、折り目６を挟んだ一方側には、開放端側辺及び両側辺に沿う一方側裏面切り取り線としてのスリット目４ａで区画された裏面内側部４ｃ及び裏面外縁部４ｂを有する。裏面内側部４ｃは、裏面内側切り取り線としての２本のミシン目４ｄにより２つの内側端部４ｅと内側中央部４ｆとに区画される。
【００１８】
また、折り目６を挟んだ他方側に、スリット目４ａと繋がるとともに少なくとも一部が折り目６と直交する方向に沿って延びる２本の他方側裏面切り取り線としての点留めスリット４ｊで区画された裏面中央部４ｋ及び裏面両端部４ｌを有する。
【００１９】
裏面中央部４ｋは、点留めスリット４ｊと直交する方向に沿って延びる裏面中央部切り取り線としてのミシン目４ｎで区画された第１裏面中央部４ｐ及び第２裏面中央部４ｒを有する。
【００２０】
図４は、裏面側ラベル４を内面側から見た図である。裏面側ラベル４の内面側には、図４にドットで示すように、裏面外縁部４ｂと、第１裏面中央部４ｐとに剥離部としての剥離剤４ｇが設けられる。
【００２１】
図５は、図１のＶ−Ｖ断面図である。また、図６は、図１のＶＩ−ＶＩ断面図である。また、図７は、図１のＶＩＩ−ＶＩＩ断面図である。表面側ラベル５と裏面側ラベル４とを貼り合わせると、表面側ラベル５は、図６、図７に示すように、粘着剤５ｅにより、裏面側ラベル４の裏面両端部４ｌと、第１裏面中央部４ｐにおける第２表面中央部５ｑと対向する部分と、内側端部４ｅとに直接貼付されるとともに、図５、図７に示すように、裏面側ラベル４の裏面外縁部４ｂと、第１裏面中央部４ｐにおける第１表面中央部５ｐと対向する部分とに剥離剤４ｇを介して貼付される。
【００２２】
図８は、裏面側ラベル４の裏面外縁部４ｂを表面側ラベル５から剥離させ、表面両端部５ｌ及び裏面両端部４ｌを点留めスリットに沿って切り取った状態を示す図である。上述したように、裏面側ラベル４の裏面外縁部４ｂには、剥離剤４ｇを介して表面側ラベル５が貼付されるので、裏面側ラベル４の裏面外縁部４ｂは、表面側ラベル５から容易に剥離することができる。また、表面両端部５ｌ及び裏面両端部４ｌは直接貼付されているので、裏面外縁部４ｂを表面側ラベル５から引き剥がしていくと、一体となって両面印字用ラベル３から分離する。
【００２３】
なお、表面側ラベル５及び裏面側ラベル４は、紙を基材とした汎用の感熱紙である。しかしながら、例えば、ＰＰを基材とするＰＰサーマル紙や、ＰＥＴを基材とするＰＥＴサーマル紙を用いてもよい。
【００２４】
また、粘着剤５ｅに用いられる粘着剤としては、エマルジョン系（粘着剤を水に分散したもの）、ソルベント系（粘着剤を溶剤に溶解したもの）、ホットメルト系（熱可塑性を利用したもの）等がある。粘着剤の材質としては、合成ゴム系、天然ゴム系、アクリル樹脂系、ポリビニルエーテル樹脂系、ウレタン樹脂系、シリコーン樹脂系等がある。粘着剤の粘着力は任意に設定されるが、いわゆる強粘着である永久接着型の粘着剤を用いることが望ましい。
【００２５】
続いて、図９、図１０を参照して、両面印字用ラベル３を折り目６で折り曲げて被着体
としての荷物２に貼り付けた状態について説明する。荷物２は、例えばダンボール等である。
【００２６】
両面印字用ラベル３を荷物２に貼り付ける際は、まず、裏面側ラベル４の裏面外縁部４ｂを表面側ラベル５から剥離させてスリット目４ａで切り取るとともに表面両端部５ｌ及び裏面両端部４ｌを点留めスリット４ｊ、５ｊに沿って切り取る。そして、折り目６で裏面側ラベル４を内側にして二つ折りにした後に、表面側ラベル５の第１表面中央部５ｐを点留めスリット５ｍから切り起こし、第１裏面中央部４ｐから剥離させて折り返す。そして、表面側ラベル５の表面外縁部５ｂ及び第１表面中央部５ｐに設けられた粘着剤５ｅにより荷物２に貼付する。
【００２７】
これにより、両面印字用ラベル３を４辺で貼付することができるため、両面印字用ラベル３が荷物２の配送中に引っかかったりして破れることを防止することができる。なお、上述したように、第１裏面中央部４ｐにおける第２表面中央部５ｑと対向する部分は第２表面中央部５ｑと直接貼付されているから、第１表面中央部５ｐを折り返しても第３表面中央部５ｒは両面印字用ラベル３から分離しない。
【００２８】
なお、表面側ラベル５の第１表面中央部５ｐを点留めスリット５ｍから切り起こさずに、両面印字用ラベル３を３辺で貼付するようにしてもよい。この場合は、点留めスリット５ｍ、第１表面中央部５ｐ及び第２表面中央部５ｑに設けられた粘着剤５ｅ、及び第１裏面中央部４ｐに設けられた剥離剤４ｇは不要となる。
【００２９】
表面側ラベル５の表面中央部５ｋ、裏面側ラベル４の裏面中央部４ｋ、及び裏面側ラベル４の裏面内側部４ｃは、両面印字用ラベル３を荷物２に貼付した状態では表面側ラベル５の表面内側部５ｃ及び表面外縁部５ｂに覆われて外部から見えないようになっている。
【００３０】
表面側ラベル５の表面内側部５ｃは、上述したように、ミシン目５ａで表面外縁部５ｂと区画され、また、ミシン目５ｄで複数の領域に区画されている。このため、表面側ラベル５の表面内側部５ｃは、全体的あるいは部分的に、ミシン目５ａ、５ｄで両面印字用ラベル３から切り取ることができる。そして、表面側ラベル５の表面内側部５ｃを両面印字用ラベル３から切り取ると、裏面側ラベル４の内面側を外部に露出させることができる。
【００３１】
裏面側ラベル４における裏面内側部４ｃの中央部４ｆは、上述したように、点留めスリット目４ｄで裏面内側部４ｃの内側端部４ｅと区画されている。このため、表面側ラベル５の表面内側部５ｃを両面印字用ラベル３から切り取って裏面側ラベル４の裏面内側部４ｃを外部に露出させ、さらに裏面側ラベル４における裏面内側部４ｃの内側中央部４ｆを点留めスリット目４ｄで裏面内側部４ｃの内側端部４ｅから切り取ることで、裏面側ラベル４の第２裏面中央部４ｒを外部に露出させることができる。
【００３２】
裏面側ラベル４の第２裏面中央部４ｒは、上述したように、ミシン目４ｎで第１裏面中央部４ｐと区画されている。このため、裏面側ラベル４の第２裏面中央部４ｒをミシン目４ｎで第１裏面中央部４ｐから切り取ることができ、表面側ラベル５の第３表面中央部５ｒの内面側を見ることができる。また、ミシン目４ｎで切り取らずに、裏面側ラベル４の第２裏面中央部４ｒをめくることによって第２裏面中央部４ｒの内面側及び第３表面中央部５ｒの内面側を見ることもできる。
【００３３】
表面側ラベル５の第３表面中央部５ｒの内面側は、上述したように、ミシン目５ｎで第２表面中央部５ｑと区画されている。このため、表面側ラベル５の第３表面中央部５ｒの内面側をミシン目５ｎで第２表面中央部５ｑから切り取ることができ、表面側ラベル５の第３表面中央部５ｒを見ることができる。また、ミシン目５ｎで切り取らずに、表面側ラベル５の第３表面中央部５ｒの内面側をめくることによって表面側ラベル５の第３表面中央部５ｒを見ることもできる。
【００３４】
続いて、図１１を参照して、両面プリンタ１００を用いた両面印字用ラベル３の印字方法について説明する。図１１は、両面プリンタ１００の概略図である。
【００３５】
両面プリンタ１００は、感熱媒体である両面印字用ラベル３を熱して印字を行う感熱方式のプリンタである。
【００３６】
両面プリンタ１００は、筐体１０１と、両面印字用ラベル３の表面に印字を行うための第１サーマルヘッド１０２と、両面印字用ラベル３の裏面に印字を行うための第２サーマルヘッド１０３と、第１サーマルヘッド１０２の直下に配置される第１プラテンローラ１０４と、第２サーマルヘッド１０３の直上に配置される第２プラテンローラ１０５と、両面印字用ラベル３の位置を検出する位置検出センサ１０６と、を備える。
【００３７】
本実施形態の両面印字用ラベル３は、図１１に示すように多数のラベルを連続して設けたロール型ラベルである。両面印字用ラベル３は、表面側ラベル５を上側にして両面プリンタ１００の筐体１０１に設けられた供給口１０１ａから筐体１０１内に供給され、第１サーマルヘッド１０２と第１プラテンローラ１０４との間及び第２サーマルヘッド１０３と第２プラテンローラ１０５との間に挟持される。
【００３８】
この状態で第１サーマルヘッド１０２の発熱素子への通電が行われると、発熱素子の熱によって感熱媒体である表面側ラベルが自己発色して印字が行われる。また、第２サーマルヘッド１０３の発熱素子への通電が行われると、発熱素子の熱によって感熱媒体である裏面側ラベルが自己発色して印字が行われる。
【００３９】
本実施形態では、後述するように、表面側ラベル５の表面内側部５ｃ及び第３表面中央部５ｒが両面印字用ラベル３の表面印字領域とされ、裏面側ラベル４の裏面内側部４ｃ及び第２裏面中央部４ｒが両面印字用ラベル３の裏面印字領域とされる。両面印字用ラベル３の表面印字領域には、例えば、荷物２の届け先情報等が印字される。また、両面印字用ラベル３の裏面印字領域には、例えば、購入証明書等が印字される。
【００４０】
第１プラテンローラ１０４を駆動する第１プラテン駆動モータ（図示せず）及び第２プラテンローラ１０５を駆動する第２プラテン駆動モータ（図示せず）によって第１プラテンローラ１０４及び第２プラテンローラ１０５が正回転すると、両面印字用ラベル３が下流側へと搬送され、筐体１０１に設けられた排出口１０１ｂから排出される。第１プラテンローラ１０４及び第２プラテンローラ１０５は、両面印字用ラベル３に弛みが発生したり張力がかかって破れたりしないように同期して回転する。
【００４１】
位置検出センサ１０６は、両面印字用ラベル３の裏面側ラベルに予め印刷されている位置検出用のタイミングマークを検出する反射型光電センサであって、第１サーマルヘッド１０２及び第２サーマルヘッド１０３に対する両面印字用ラベル３の相対位置を検出するために利用される。
【００４２】
続いて、両面印字用ラベル３の具体的な使用態様について、配送伝票として用いる場合を一例として説明する。
【００４３】
図１に示すように、本実施形態では、表面側ラベル５の印字領域である表面内側部５ｃは、２本のミシン目５ｄにより３つの領域５ｆ、５ｇ、５ｈに区画されている。
【００４４】
領域５ｆは送り先表示部兼代引領収書となっており、「送り先」、「代引領収印」等の定形の情報が予め印刷されている。具体的な送り先については、両面プリンタ１００で印字される。
【００４５】
領域５ｇは受領書となっており、「送り先」、「代引金額」、「受領印」等の定形の情報が予め印刷されている。具体的な送り先の内容、代金引換の金額等については、両面プリンタ１００で印字される。
【００４６】
領域５ｈは備考欄となっており、「備考欄」が定形の情報として予め印刷されている。備考として記載すべき内容がある場合は、両面プリンタ１００で印字される。例えば、配達日時指定の指定等がある場合は、備考欄に印字される。
【００４７】
表面側ラベル５の第３表面中央部５ｒは広告となっており、広告の具体的な内容については両面プリンタ１００で印字される。
【００４８】
図２に示すように、表面側ラベル５の第３表面中央部５ｒの内面側は広告となっており、広告の具体的な内容については予め印刷されている。
【００４９】
図３に示すように、裏面側ラベル４の印字領域である裏面内側部４ｃの中央部４ｆは購入証明書（納品書）となっており、「購入証明書（納品書）」が定形の情報として予め印刷されている。具体的な品名、個数については、両面プリンタ１００で印字される。
【００５０】
裏面側ラベル４の第２裏面中央部４ｒは広告となっており、広告の具体的な内容については両面プリンタ１００で印字される。
【００５１】
図４に示すように、裏面側ラベル４における裏面内側部４ｃの中央部４ｆの内面側には、「裏面が購入証明書になっています。」が定形の情報として予め印刷されている。
【００５２】
裏面側ラベル４の第２裏面中央部４ｒの内面側は広告となっており、広告の具体的な内容については予め印刷されている。
【００５３】
なお、表面側ラベル５及び裏面側ラベル４の内面側に印刷される定形の情報以外の各定形の情報は、予め印刷しておくのではなく、両面プリンタ１００で印字するようにしてもよい。また、表面側ラベル５及び裏面側ラベル４に印刷、印字される内容、及び、２本のミシン目５ｄにより区画される３つの領域５ｆ、５ｇ、５ｈの大きさは、両面印字用ラベル３の使用態様に応じて適宜変更可能である。
【００５４】
配送伝票として印刷、印字がなされた両面印字用ラベル３を、図９、図１０に示すように配送品（荷物２）に貼付すると、表面側ラベル５の表面中央部５ｋ、裏面側ラベル４の裏面中央部４ｋ、及び裏面側ラベル４の裏面内側部４ｃは、表面側ラベル５の表面内側部５ｃ及び表面外縁部５ｂに覆われて外部から見えなくなる。そして、この状態で配送品が受取人に配達される。
【００５５】
配達人から配送品を受け取った受取人は、代金引換の料金を配達人に支払う。また、表面側ラベル５の領域５ｇに印刷された「受領印」の部分に受領印を押印する。
【００５６】
配達人は、代金引換の料金を受け取ると、領域５ｆに印刷された「代引領収印」の部分に領収印を押印する。そして、配達人は、受領印が押印された領域５ｇを表面側ラベル５から切り取って持ち帰る。
【００５７】
配達人が領域５ｇを切り取ると、領域５ｇがあった部分から裏面側ラベル４の内面が外部に露出し、裏面側ラベル４の内面側に印刷された情報（裏面が購入証明書になっています。）を受取人が認識する。
【００５８】
これにより、受取人は、裏面側ラベル４における裏面内側部４ｃの中央部４ｆをスリット目４ｄで端部４ｅから切り取り、購入証明書を確認する。
【００５９】
購入証明書を切り取ると、裏面側ラベル４の第２裏面中央部４ｒが外部に露出し、裏面側ラベル４の第２裏面中央部４ｒに印刷された広告を受取人が確認する。
【００６０】
裏面側ラベル４の第２裏面中央部４ｒを切り取ると、第２裏面中央部４ｒの内面側に印刷された広告を受取人が確認することができるとともに、表面側ラベル５の第３表面中央部５ｒの内面側が外部に露出し、表面側ラベル５の第３表面中央部５ｒの内面側に印刷された広告を受取人が確認する。
【００６１】
表面側ラベル５の第３表面中央部５ｒを切り取ると、表面側ラベル５の第３表面中央部５ｒの外面側に印刷された広告を受取人が確認することができる。
【００６２】
以上述べたように、本実施形態によれば、両面印字用ラベル３の表面中央部５ｋ及び裏面中央部４ｋに広告等を印字あるいは印刷しておくことができる。よって、広告等を別書類として用意する必要がない。したがって、作業が容易となる。また、印字面等を十分に確保することができる。
【００６３】
また、表面側ラベル５は、第１表面中央部５ｐに設けられた粘着剤５ｅによって第１裏面中央部４ｐに剥離剤４ｇを介して貼付されている。よって、両面印字用ラベル３を４辺で貼付することができるため、両面印字用ラベル３が荷物２の配送中に引っかかったりして破れることを防止することができる。
【００６４】
また、表面側ラベル５は、第２表面中央部５ｑに設けられた粘着剤５ｅによって第１裏面中央部４ｐに直接貼付されている。よって、第１裏面中央部４ｐから剥離させて折り返しても、両面印字用ラベル３から第３表面中央部５ｒは分離することはない。
【００６５】
また、両面印字用ラベル３における折り目６から他方側の開放端までの長さは、折り目６から表面側ラベル５における開放端側部５ｓに設けられた粘着剤５ｅまでの長さよりも短い。よって、折り目６で二つ折りにした際に、表面中央部５ｋ及び裏面中央部４ｋが粘着剤５ｅに貼り付くことはない。
【００６６】
以上、本発明の実施形態について説明したが、上記実施形態は本発明の適用例の一つを示したものに過ぎず、本発明の技術的範囲を上記実施形態の具体的構成に限定する趣旨ではない。
【００６７】
例えば、上記実施形態では、両面印字用ラベル３を多数のラベルを連続して設けたロール型ラベルとしているが、ファンフォールド型ラベルや単葉のラベルとしてもよい。
【００６８】
また、上記実施形態では、両面プリンタ１００を、感熱媒体である表面側ラベル５及び裏面側ラベル４を熱して印字する感熱方式としているが、両面プリンタ１００は、インクリボンを熱してインクリボン上のインクをラベルに転写して印字する熱転写方式としてもよいし、インクジェット方式としてもよいし、電子写真としてもよい。
【００６９】
この場合は、表面側ラベル５及び裏面側ラベル４の基材として、例えば、上質紙、コート紙、アート紙等をベースとする紙、ＰＥＴ、ＰＥ、ＰＰ、ＰＳ等の合成樹脂をベースとする合成樹脂フィルム、合成樹脂を複数種類組み合わせたシート、合成樹脂と紙とを組み合わせた複合シート、インクジェット用紙等の中から適宜選択して使用できる。
【００７０】
また、上記実施形態では、表面側ラベル５の表面内側部５ｃが２本のミシン目５ｄにより３つに区画されているが、表面内側部５ｃを複数に区画せずに使用してもよい。また、１本のミシン目５ｄにより２つに区画してもよいし、３本以上のミシン目５ｄにより４つ以上に区画してもよい。表面内側部５ｃを複数に区画した場合は、例えば、配送品の配達人が持ち帰る部分と受取人の手元に残す部分とを１枚のラベルに設けることができるので、ラベルの発行枚数を低減できる。また、複数のラベルを発行する場合は各ラベルの対応関係に間違いがないかを照合する作業が発生するが、表面内側部５ｃを複数に区画して用いる場合は、このような作業を省略できる。
【符号の説明】
【００７１】
２        荷物（被着体）
３        両面印字用ラベル
４        裏面側ラベル
４ａ      スリット目（一方側裏面切り取り線）
４ｂ      裏面外縁部
４ｃ      裏面内側部
４ｄ      ミシン目（裏面内側切り取り線）
４ｅ      内側端部
４ｆ      内側中央部
４ｇ      剥離剤（剥離部）
４ｊ      点留めスリット（他方側裏面切り取り線）
４ｋ      裏面中央部
４ｌ      裏面両端部
４ｎ      ミシン目（裏面中央部切り取り線）
４ｐ      第１裏面中央部
４ｒ      第２裏面中央部
５        表面側ラベル
５ａ      ミシン目（一方側表面切り取り線）
５ｂ      表面外縁部
５ｃ      表面内側部
５ｄ      ミシン目
５ｅ      粘着剤（粘着部）
５ｆ      領域
５ｇ      領域
５ｈ      領域
５ｊ      点留めスリット（他方側表面切り取り線）
５ｋ      表面中央部
５ｌ      表面両端部
５ｍ      点留めスリット（表面中央部切り取り線）
５ｎ      ミシン目（表面中央部切り取り線）
５ｐ      第１表面中央部
５ｑ      第２表面中央部
５ｒ      第３表面中央部
５ｓ      開放端側部
５ｔ      両側部
６        折り目
１００    両面プリンタ
１０１    筐体
１０１ａ  供給口
１０１ｂ  排出口
１０２    第１サーマルヘッド
１０３    第２サーマルヘッド
１０４    第１プラテンローラ
１０５    第２プラテンローラ
１０６    位置検出センサ
【図１】
0006577346.tif 000002
【図２】
0006577346.tif 000003
【図３】
0006577346.tif 000004
【図４】
0006577346.tif 000005
【図５】
0006577346.tif 000006
【図６】
0006577346.tif 000007
【図７】
0006577346.tif 000008
【図８】
0006577346.tif 000009
【図９】
0006577346.tif 000010
【図１０】
0006577346.tif 000011
【図１１】
0006577346.tif 000012